(57)【要約】　　　（修正有）【課題】液晶ディスプレイにおける隣接画素の相互依存性によるエラーを低減する。【解決手段】入力信号を少なくとも高輝度信号及び少なくとも１つの低輝度信号を有する複数の信号に分割するためのデコンポーザ１２、遅延高輝度信号を提供するための高輝度信号についての遅延整合回路１４、少なくとも１つ以上の過渡現象調整された低輝度信号を提供するために少なくとも１つの低輝度信号を処理する１つ以上の過渡現象調整回路１６及び／または１８、及び、スパークル現象を低減した出力信号を提供するために遅延整合された高輝度信号を少なくとも１つの過渡現象調整された低輝度信号と結合するためのコンバイナ２０、より構成される回路。【選択図】　　　　図１
2004004548.tif 000002
【特許請求の範囲】
【請求項１】
液晶ディスプレイにおける隣接画素の相互依存性を低減するための回路であって：
入力信号を少なくとも高輝度信号（Ｈ）及び少なくとも１つの低輝度信号（Ｌ）を有する複数の信号に分割するためのデコンポーザ（１２）；
前記少なくとも１つの低輝度信号における輝度レベル間の信号過渡現象を制限することにより隣接画素の相互依存性を低減するための少なくとも１つの過渡現象調整回路（１８）；
前記高輝度信号のための遅延整合回路（１４）；及び
スパークル（ｓｐａｒｋｌｅ）現象を低減した出力信号を提供するために、遅延された高輝度信号を前記少なくとも１つの信号過渡現象処理された低輝度信号と結合するための手段（２０）；
より構成される回路。
【請求項２】
少なくとも１つの過渡現象調整回路（１８）は少なくとも１つのスルーレートリミッタより構成される、請求項１記載の回路。
【請求項３】
デコンポーザ（１２）は、入力信号を高輝度信号（Ｈ）、中輝度信号（Ｍ）及び低輝度信号（Ｌ）に分割し、少なくとも１つの過渡現象調整回路（１８）は少なくとも１つの過渡現象調整された低輝度信号を提供し、更に、過渡現象調整された中輝度信号を提供するために中輝度信号を処理するための第２過渡現象調整回路（１６）より構成される、請求項１記載の回路。
【請求項４】
コンバイナ２０は、遅延された高輝度信号、過渡現象調整された低輝度信号及び過渡現象調整された中輝度信号を結合する、請求項３記載の回路。
【請求項５】
入力信号がデコンポーザにおける閾値信号（ＴｌまたはＴｕ）以下である場合、高輝度信号はゼロであり、少なくとも１つの低輝度信号は入力信号であり、そして、入力信号が閾値信号以上の場合、高輝度信号は入力信号から閾値信号を減じたものであり、少なくとも１つの低輝度信号は閾値信号である、請求項２記載の回路。
【請求項６】
デコンポーザは更に下位閾値（Ｔｌ）及び上位閾値（Ｔｕ）を含み、入力信号が上位閾値より大きい場合、高輝度信号は入力信号から上位閾値を引いたものに等しく、中輝度信号は上位閾値から下位閾値を引いたものに等しく、少なくとも１つの低輝度信号は下位閾値に等しく、入力信号が上位閾値未満であり下位閾値より大きい場合、高輝度信号はゼロに等しく、中輝度信号は入力信号から下位閾値を引いたものに等しく、少なくとも１つの低輝度信号は下位閾値に等しく、入力信号が下位閾値未満である場合、高輝度信号はゼロに等しく、中輝度信号はゼロに等しく、少なくとも１つの低輝度信号は入力信号に等しい、請求項３記載の回路。
【請求項７】
液晶表示装置はＬＣＯＳ（Ｌｉｑｕｉｄ　Ｃｒｙｓｔａｌ　Ｏｎ　Ｓｉｌｉｃｏｎ）である、請求項１記載の回路。
【請求項８】
少なくとも１つの過渡現象調整回路（１８）は少なくとも１つの再帰スルーレートリミッタ（ｓｌｅｗ　ｒａｔｅ　ｌｉｍｉｔｅｒ）より構成される、請求項１記載の回路。
【請求項９】
少なくとも１つの過渡現象調整回路（１８）は明るい方への過渡現象を制限するための少なくとも１つの有限応答調整器より構成される、請求項１記載の回路。
【請求項１０】
少なくとも１つの過渡現象調整回路（１８）は少なくとも１つの再帰スルーレートリミッタ及び少なくとも１つの有限応答フィルタより構成される、請求項１記載の回路。
【請求項１１】
遅延整合回路（１４）はサンプリング遅延回路より構成される、請求項１記載の回路。
【請求項１２】
少なくとも１つの過渡現象調整回回路（１８）は先行部及び反応部より構成される、請求項１記載の回路。
【請求項１３】
液晶ディスプレイにおける隣接画素の相互依存性を低減するための方法であって：
入力信号を少なくとも高輝度信号及び少なくとも１つの低輝度信号に分割する工程（４０２）；
輝度レベル間の信号過渡現象を制限することにより、隣接画素の相互依存性を低減するために、少なくとも１つの低輝度信号をスルーレート制限し有限応答フィルタリングする工程（４０４）；
高輝度信号を遅延整合する工程（４０６）；及び
スパークル現象を低減した出力信号を形成するために、前記少なくとも１つのスルーレート制限され有限応答フィルタリングされた低輝度信号及び前記遅延された高輝度信号を結合する工程（４０８）；
より構成される方法。
【請求項１４】
前記少なくとも１つの低輝度レベル信号の暗い方への過渡現象をスルーレート制限し、前記少なくとも１つの低輝度レベル信号の明るい方への過渡現象を有限応答フィルタリングする工程、より構成される、請求項１３記載の方法。
【請求項１５】
スルーレート制限する工程は非対称にスルーレート制限する工程より構成される、請求項１３記載の方法。
【請求項１６】
前記入力信号を前記高輝度レベル信号及び低輝度レベル信号との間の輝度レベルを有する中輝度信号に更に分割する工程、隣接画素の相互作用を更に低減するために、前記中輝度信号の輝度レベル間の信号過渡現象を制限する工程、及び、前記スルーレート制限され有限応答フィルタリングされた信号を前記高輝度信号及び低輝度信号と結合する工程、より構成される、請求項１３記載の方法。
【請求項１７】
前記中輝度信号をスルーレート制限し有限応答フィルタリングする工程、及び、前記中輝度信号及び低輝度信号に異なるスルーレート及び異なる有限応答フィルタ応答を適用する工程、より構成される、請求項１５記載の方法。
【発明の詳細な説明】
【０００１】
【発明の属する技術分野】
本発明は、液晶表示装置（ＬＣＤ）を利用するビデオシステムの分野に関わり、特に、通常白色であるＬＣＯＳ（Ｌｉｑｕｉｄ　Ｃｒｙｓｔａｌ　Ｏｎ　Ｓｉｌｉｃｏｎ）画像装置を利用するビデオシステムに関する。
【０００２】
【従来の技術】
ＬＣＯＳ（Ｌｉｑｕｉｄ　Ｃｒｙｓｔａｌ　Ｏｎ　Ｓｉｌｉｃｏｎ）はシリコンウェーハ上に形成された１つの大型液晶と考えられる。シリコンウェーハは微小電極のインクリメンタルアレイ（ｉｎｃｒｅｍｅｎｔａｌ　ａｒｒａｙ）に分割される。液晶の微小インクリメンタル領域は、各微小電極及び共通電極により生じる電界により影響を受ける。そのような各々の微小電極及びそれに対応する液晶領域を合わせて、画像装置のセルと呼ばれる。各々のセルは独立して制御可能な画素に対応する。各々の微小電極はまた、セルの光を後方に反射するための鏡でもある。共通電極は液晶の反対側に配置される。
【０００３】
駆動電圧は、ＬＣＯＳアレイの各々の側の電極に供給される。本発明の配置が関連する好適なＬＣＯＳシステムにおいては、共通電極の電位は常に８ボルトである。微小電極アレイにおける他の電極のそれぞれは、２つの電圧範囲で動作される。ポジティブ画像のためには、電圧は０〜８ボルトの範囲で変化する。ネガティブ画像のためには、電圧は８〜１６ボルトの範囲で変化する。
【０００４】
【発明が解決しようとする課題】
画像装置に供給される光、即ち画像装置の各々のセルに供給される光は、電界により偏向される。入射光は、光が透過する共通電極に入射する。各々の液晶セルは、共通電極によりセルに印加される電界のＲＭＳ　（Ｒｏｏｔ　Ｍｅａｎ　Ｓｑｕａｒｅ）値（二乗平均平方根値）に対応して、入力光の偏向を回転させる。一般に、セルは印加される電界の極性（陽または陰）に対応しない。むしろ、各画素のセルの輝度は、一般に、セルに入射する光の偏向の回転のみの関数として表される。更に、各々のセルについての偏光回転は電界の非線形関数として表される。セルについて偏向回転は、セルの電極からの反射の前後において液晶を通過する光として現れる。それは制御可能な偏光回転である。画像装置から出る光は略同じ強度を維持するが、偏向性は異なっている。これは、結局、要求される強度に依存する。光吸収した画像装置は温度が高くなり過ぎることがあり、注意すべきである。画像装置は何らかのスプリアス（ｓｐｕｒｉｏｕｓ）吸収量により温度が高くなるであろう。
【０００５】
隣接画素が異なる輝度を生じる場合、隣接画素に対応する２つのセルの電極電位は異なっているに違いない。隣接するセルの電極電位が等しくないとき、両者間の電界はフリンジ（ｆｒｉｎｇｉｎｇ）電界となっている。フリンジ電界には、要求される電界に対して垂直方向の何らかの成分がある。これらの垂直成分は、隣接するミラー間の空間では問題にならない。しかし、ミラー上方の垂直電界成分は、偏光回転を歪めるように影響を有するであろう。この歪みは実質的に輝度の局所的増加をもたらす。これは、画素を暗く表示するときに特有の問題であるが、画素を明るく表示するときは、画素間の電圧は大きく異ならないためにフリンジ電界はそれ程大きくならないので、通常は重要な問題にはならない。また、暗い画素の輝度を更に高くすることに対しては大いに注意が必要である。コントラスト比もまた、高品質の表示装置を製造する上で非常に重要である。十分な黒レベルを達成することは非常に重要である。通常、白色である表示装置において、わずかに暗い画像を生じさせるためには、それに比例するより大きな駆動電圧を必要とする。両画素の輝度が低く等しくないときでさえ、しばしば、隣接画素間には大きな電圧差が必要とされる。これによりフリンジ電界が生じ、スパークル（ｓｐａｒｋｌｅ）と呼ばれる眼にみえる現象が発生する。フリンジ電界の回転の影響により、この現象はまた表示装置の偏差エラーと呼ばれる。スパークル現象は赤、青及び／または緑の色を呈し得るが、緑が通常は最も現れ易い色である。
【０００６】
多くの画像装置のために用いられる特有の製造工程により、水平方向に隣接する画素はフリンジ電界の影響をより受け易い。したがって、上記のスパークルの問題を克服するために、何らかの対策が必要となる。
【０００７】
【課題を解決するための手段】
本発明の実施形態に従って、液晶ディスプレイにおける隣接画素の相互依存性を低減するための回路は、入力信号を少なくとも高輝度信号及び少なくとも１つの低輝度信号を有する複数の信号に分割するためのデコンポーザと、少なくとも１つの低輝度信号における輝度レベル間の信号過渡現象を制限することにより隣接画素の相互依存性を低減するための少なくとも１つの過渡現象調整回路と、前記高輝度信号のための遅延整合回路と、スパークル現象を低減した出力信号を提供するために、遅延された高輝度信号を前記少なくとも１つの信号過渡現象調整された低輝度信号と結合するための手段と、より構成される。少なくとも１つの過渡現象調整回路は、少なくとも１つのスルーレートリミッタ（ｓｌｅｗ　ｒａｔｅ　ｌｉｍｉｔｅｒ）と、少なくとも１つの有限応答フィルタと、より構成することができる。
【０００８】
本発明の実施形態に従って、液晶ディスプレイにおける隣接画素の相互依存性を低減するための方法は、入力信号を少なくとも高輝度信号及び少なくとも１つの低輝度信号に分割する工程と、輝度レベル間の信号過渡現象を制限することにより、隣接画素の相互依存性を低減するために、少なくとも１つの低輝度信号をスルーレート制限し有限応答フィルタリングする工程と、高輝度信号を遅延整合する工程と、スパークル現象を低減した出力信号を形成するために、前記少なくとも１つのスルーレート制限され有限応答フィルタリングされた低輝度信号及び前記遅延された高輝度信号を結合する工程と、より構成される。
【０００９】
この方法は更に、少なくとも１つの低輝度レベル信号の暗い方への過渡現象をスルーレート制限し、少なくとも１つの低輝度レベル信号の明るい方への過渡現象を有限応答フィルタリングする工程、より構成されることができる。スルーレート制限は非対称にすることができる。
【００１０】
この方法は更に、入力信号を高輝度レベル信号及び低輝度レベル信号の間の輝度レベルを有する中輝度信号に更に分割する工程と、隣接画素の相互作用を更に低減するために、中輝度信号の輝度レベル間の信号過渡現象を制限する工程と、スルーレート制限され有限応答フィルタリングされた信号を高輝度信号及び低輝度信号と結合する工程と、より構成される。異なるスルーレート及び異なる有限フィルタ応答を中輝度信号及び低輝度信号に適用することができる。
【００１１】
【発明の実施の形態】
隣接する画素が暗く、明るくないとき、隣り合う画素間の輝度差を低減することにより、上記のスパークルの問題を事前に解決することができる。図１に示されるように、入力に関するデコンポーザ１２と呼ばれる装置は、液晶表示装置における隣接画素の相互依存性を低減するために用いられる回路１０上において、入力信号を少なくとも２つの信号に分割する。スパークルまたは偏差エラーはまた、隣接画素の相互依存性として知られる広義の現象中のサブセットと認識されるべきである。本発明はＬＣＯＳ（Ｌｉｑｕｉｄ　Ｃｒｙｓｔａｌ　Ｏｎ　Ｓｉｌｉｃｏｎ）表示装置の液晶のために特に有用であるが、必ずしもこの装置に限定するものではないことは特筆すべきことである。デコンポーザ１２は、好適には１つの色成分（赤、緑または青）の所定輝度をもたらす８ビットビデオ信号の入力信号について、振幅弁別器としての役割を果たす。
【００１２】
入力信号は、分解または分割された信号が再び互いに加算または結合されるとき、元の信号を得ることができるような方式で分解される。本発明の実施形態に従った方法は更に、低輝度部分（Ｌ及び場合によってＭ）を処理し、高輝度部分（Ｈ）を遅延整合させる。続いて、信号は再結合され、画像装置に送られる。同様の技術はまた、輝度信号にも適用される（分解されたこれら信号のうち１つに対して必要である）。したがって、この改善方法においては、各々の色（赤、緑及び青）は１つのデコンポーザに依存する。デコンポーザは入力信号を二つ以上の成分信号に分割可能であることは、本発明の主旨の範囲内で理解されるべきである。
【００１３】
デコンポーザは少なくとも２つの入力を有する必要がある。信号閾値が用いられ、輝度入力信号が閾値より小さい場合、高出力はゼロ（０）であり、低出力は輝度入力信号そのものである。輝度入力信号が閾値より大きい場合は、高出力は輝度入力信号から閾値入力を引いたものであり、低出力は閾値入力信号である。
【００１４】
再度図１を参照するに、回路１０は、入力信号を少なくとも高輝度信号（Ｈ）と少なくとも低輝度信号（Ｌ）とを有する複数の信号に分割するためのデコンポーザ１２より構成される。図１の実施形態に示されるように、入力信号は、高輝度信号（Ｈ）、中輝度信号（Ｍ）及び低輝度信号（Ｌ）よりなる３つの信号に光学的に分割される。入力信号が３つの信号に分割されるとき、好適には、デコンポーザ１２により２つの閾値信号（Ｔｕ及びＴｌ）が用いられる。回路１０は、更に、遅延整合された高輝度信号を提供するために高輝度信号を処理する遅延整合回路１４、及び、少なくとも１つの過渡現象調整された低輝度信号を提供するために少なくとも１つの低輝度信号を処理する少なくとも１つの過渡現象調整回路１８、より構成される。入力信号が２つ以上の信号に分割されるとき、“より低い”輝度信号（図１におけるＭまたはＬ）は、好適には、必要に応じて追加される過渡現象回路を用いて処理される。図１に示される実施形態において、低輝度信号（Ｌ）は、過渡現象調整された低輝度信号を提供するために過渡現象調整回路１８を用いて処理され、過渡現象調整された中輝度信号を提供するために、中輝度信号は第２過渡現象調整回路１６を用いて処理される。過渡現象調整回路は、好適には、先行部と反応部がある。過渡現象調整回路は、好適には、暗い方向に進行する過渡現象を制限するための少なくとも１つの再帰スルーレートリミッタと、明るい方向に進行する過渡現象を制限するための少なくとも１つの有限応答調整器または先行調整器と、より構成される。これは、図２を参照すると明確になるであろう。再帰スルーレートリミッタは反応部であり、有限応答調整器は先行部である。回路１０はまた、スパークル現象を低減した出力信号を提供するために、処理された高輝度信号と少なくとも１つの過渡現象調整された低輝度信号とを結合するコンバイナ２０より構成される。回路１０におけるコンバイナ２０は、整合遅延された高輝度信号、過渡現象調整された低輝度信号、及び過渡現象調整された中輝度信号を特に結合する。この例において、“少なくとも１つの過渡現象調整された低輝度信号”は過渡現象調整された低輝度信号と過渡事象調整された中輝度信号との両者を含む。
【００１５】
デコンポーザ１２がたった１つの閾値信号（例えばＴｌ）を利用し、入力信号が閾値信号より小さいときは、高輝度信号はゼロであり、且つ低輝度信号は入力信号である。また、入力信号が閾値信号より大きいときは、高輝度信号は入力信号から閾値信号を引いたものであり、低輝度信号は閾値信号である。
【００１６】
デコンポーザ１２が低閾値及び高閾値を利用する場合であって、入力信号が高閾値より大きい場合、高輝度信号は入力信号から高閾値を引いたものに等しく、中輝度信号は高閾値から低閾値を引いたものに等しく、低輝度信号は低閾値に等しい。また、入力信号が高閾値より小さく、低閾値より大きい場合は、高輝度信号はゼロに等しく、中輝度信号は入力信号から低閾値を引いたものに等しい。また、入力信号が低閾値より小さい場合、高輝度信号はゼロに等しく、中輝度信号もゼロに等しく、低輝度信号は入力信号に等しい。デコンポーザ１２が入力信号を高（Ｈ）、中（Ｍ）及び低（Ｌ）の３つの信号に分割するという上記のシナリオは次のようにまとめることができる。
Ｔｌは低閾値を表す。
Ｔｕは高閾値を表す。
入力信号（Ｉ）＞Ｔｕのとき、Ｈ＝Ｉ−Ｔｕ、Ｍ＝Ｔｕ−Ｔｌ、Ｌ＝Ｔｌ
Ｔｕ＞Ｉ＞Ｔｌのとき、Ｈ＝０、Ｍ＝Ｉ−Ｔｌ、Ｌ＝Ｔｌ、及び
Ｔｌ＞Ｉのとき、Ｈ＝０、Ｍ＝０、Ｌ＝Ｉ
である。ここで、Ｉ＝Ｌ＋Ｍ＋Ｈである。
【００１７】
図２を参照するに、本発明の実施形態にしたがった過渡現象調整回路５０が示されている。過渡事象調整回路は、好適には、先行部及び反応部より構成される。先行部は、ラッチ５２、５４、５６、５８、６０及び６２と、各々のタップ５１、５３、５５、５７、５９及び６１での追加処理と、により実行されるサンプリング遅延線より構成される。スルーレート値Ｓは、出力タップを除く各々のタップで減算をするために利用される。減算された定数の大きさは、タップと出力との間の時間遅延に比例する。したがって、最後から２番目のタップ６１はその値からＳを減じた値を有し、最後から３番目のタップ５９は２Ｓを減じられ、最後から４番目のタップ５７は３Ｓを減じられ、これ以下同様の傾向にて減じられる。この後、結果として得られたすべての値の最大値６４が選択され、次に送られる。大きい正の値が得られる場合、出力信号はこの数字のために増分を早く開始することにより調整されるが、あるサンプリング周期から次のサンプリング周期への出力の増分は決してＳより大きくならない。大きい値がサンプリング遅延回路６２の出力値に到達するまで、その増分が最大値である場合、その増分は変化されることなく安全に用いられる。
【００１８】
過渡現象調整回路５０の反応部は、負の方向に進行する過渡現象のみのスルーレートを−Ｓに制限する簡単なスルーレートリミッタより構成される。これは、減算器６６、ＭＡＸ回路６８、加算器７０及び１サンプリング遅延ラッチ７２より構成される。減算器への正の値の入力が、Ｓ以上の値だけ、出力より小さい場合、新しい出力は前の出力からＳを引いたものに等しくなる。
【００１９】
好適には、２つの過渡現象調整回路に異なるスルーレートを設定することができる。好適には、異なる正及び負のスルーレート制限もまた選択することができるが、このような選択については図２に示されていない。好適にはまた、１つ以上の閾値を独立して選択することができる。
【００２０】
図３を参照するに、本発明の実施形態にしたがったシステムの操作の１例がグラフに示されている。この例においては、高閾値は６０、低閾値は１５、中スルーレート制限は２０、及び低スルーレート制限は３である。多くの場合、これらの値は試行錯誤により選択される。スパークル補正が多過ぎると、所望されない過度の分解能低下がもたらされる。それ故に、閾値及びスルーレートは、偏差エラーの減少と画像の鮮明さの維持との間の折衷を表すこととなる。
【００２１】
図４を参照するに、液晶表示装置における隣接画素の相互依存性を低減するための方法４００を示すフローチャートが示されている。この方法は、好適には、入力信号の輝度振幅に基づいて入力信号を少なくとも１つの高輝度信号と少なくとも１つの低輝度信号に分割する工程４０２と、好適には、少なくとも１つの過渡状態調整された低輝度信号を提供するために、暗い方向に進行する過渡現象を制限するための少なくとも１つの再帰スルーレートリミッタと、明るい方向に進行する過渡現象を制限するための少なくとも１つの有限応答先行調整器と、を用いて少なくとも１つの低輝度信号を処理する工程４０４と、整合遅延された高輝度信号を提供するためにサンプリング遅延器を用いて高輝度信号を処理する工程４０６と、より構成される。この方法は更に、スパークル現象、偏差エラーまたは隣接画素の相互依存性を低減した出力信号を提供するために、整合遅延された高輝度信号を少なくとも１つの過渡現象調整された低輝度信号と結合する工程４０８より構成される。選択可能な分割る工程は、入力信号を高輝度信号、中輝度信号及び低輝度信号に分割する工程であって、高輝度信号を処理する工程は高輝度信号の遅延整合より構成され、少なくとも１つの低輝度信号を処理する工程は、好適には、少なくとも１つの過渡現象調整回路を用いる低輝度信号及び中輝度信号の過渡現象調整より構成される、ところの工程がある。したがって、この方法は、主に低輝度過渡現象のスルーレートを非対称に制限する。
【００２２】
本発明に関して実施形態を示しながら詳述したが、上記実施形態は例示であって、請求項に記載される本発明の主旨を制限するものではない。
【図面の簡単な説明】
【図１】本発明の実施形態に従った、デコンポーザ、過渡現象調整回路及び遅延整合回路を示すブロック図である。
【図２】本発明の実施形態に従った過渡現象調整回路の更に詳細なブロック図である。
【図３】本発明の実施形態に従ったシステムの操作を表すグラフである。
【図４】本発明の実施形態に従った方法を表すフローチャートである。
【符号の説明】
１０　　回路
１２　　デコンポーザ
１４　　遅延整合回路
１６　　過渡現象調整回路
１８　　過渡現象調整回路
２０　　コンバイナ
５０　　過渡現象調整回路
５１　　タップ
５２　　ラッチ
５３　　タップ
５４　　ラッチ
５５　　タップ
５６　　ラッチ
５７　　タップ
５８　　ラッチ
５９　　タップ
６０　　ラッチ
６１　　タップ
６２　　ラッチ
６４　　最大値
６６　　減算器
６８　　ＭＡＸ回路
７０　　加算器
７２　　サンプリング遅延ラッチ
４００　液晶表示装置における隣接画素の相互依存性を低減するための方法
４０２　入力信号を高輝度信号と少なくとも１つの低輝度信号とに分割する工程
４０４　少なくとも１つの過渡現象調整された低輝度信号を提供するために、少なくとも１つの低輝度信号を処理する工程（好適には、暗い方への過渡現象を制限するための少なくとも１つのスルーレートリミッタと、明るい方への過渡現象を制限するための少なくとも１つの有限応答先行調整器を用いる）
４０６　整合遅延された高輝度信号を提供するために、高輝度信号を処理する工程（好適には、遅延整合回路を用いる）
４０８　出力信号を提供するために、整合遅延された高輝度信号を少なくとも１つの過渡現象調整された低輝度信号と結合する工程
【図１】
2004004548.tif 000003
【図２】
2004004548.tif 000004
【図３】
2004004548.tif 000005
【図４】
2004004548.tif 000006